(57)【要約】【課題】一例として、筐体が動かされるのを抑制するとともにモジュールが筐体から取り外されるのを抑制する連結装置を取り付け可能な、新規な構成の電子機器を得る。【解決手段】実施形態にかかる電子機器では、筐体は、連結装置の引掛部材が貫通する第一の開口部が設けられた第一の壁部を有した。第一のモジュールは、第一の開口部と重なり引掛部材が貫通する第二の開口部が設けられ第一の壁部と重なった第二の壁部を有し、筐体に設けられた第一の収容部に着脱可能に収容された。第二のモジュールは、筐体に設けられた第二の収容部に着脱可能に収容された。引掛部材が第一の開口部および第二の開口部を貫通することにより、第一のモジュールが第一の収容部から取り外されるのが抑制され、第一の収容部に収容された第一のモジュールにより、第二のモジュールが第二の収容部から取り外されるのが抑制された。【選択図】図１３
2014013597.tif 000002
【特許請求の範囲】
【請求項１】
連結装置の引掛部材が貫通する第一の開口部が設けられた第一の壁部を有した筐体と、
前記第一の開口部と重なり前記引掛部材が貫通する第二の開口部が設けられ前記第一の壁部と重なった第二の壁部を有し、前記筐体に設けられた第一の収容部に着脱可能に収容された第一のモジュールと、
前記筐体に設けられた第二の収容部に着脱可能に収容された第二のモジュールと、
を備え、
前記引掛部材が前記第一の開口部および前記第二の開口部を貫通することにより、前記第一のモジュールが前記第一の収容部から取り外されるのが抑制され、
前記第一の収容部に収容された前記第一のモジュールにより、前記第二のモジュールが前記第二の収容部から取り外されるのが抑制された、電子機器。
【請求項２】
前記第一のモジュールは、前記第一の収容部に収容された状態で、前記第二のモジュールが前記第二の収容部から取り外されるのを抑制する抑制部材が取り外されるのを抑制した、請求項１に記載の電子機器。
【請求項３】
前記抑制部材は、前記第一のモジュールによって隠された、請求項２に記載の電子機器。
【請求項４】
前記抑制部材は、前記第二の収容部を開放する第三の開口部を覆う覆部材である、請求項２に記載の電子機器。
【請求項５】
前記筐体には、前記第一の開口部が設けられた前記第一の壁部を底壁とする第一の凹部が設けられ、
前記第二の開口部が設けられた前記第二の壁部が、前記第一の凹部に収容されるとともに、前記第一の壁部の前記筐体外側に重なった、請求項１〜４のうちいずれか１項に記載の電子機器。
【請求項６】
前記筐体には、前記第一の開口部の前記第一の凹部とは反対側に第二の凹部が設けられ、
前記第一のモジュールは、当該第一のモジュールが前記第一の収容部に収容された部分の、前記第二の壁部とは反対側に、前記第二の凹部に収容される第三の壁部を有した、請求項５に記載の電子機器。
【請求項７】
前記筐体は、前記第二の凹部の底部から突出する突出部を有し、
前記第三の壁部には、前記突出部が収容される第四の開口部が設けられた、請求項６に記載の電子機器。
【発明の詳細な説明】
【技術分野】
【０００１】
本発明の実施形態は、電子機器に関する。
【背景技術】
【０００２】
従来、筐体が動かされるのを抑制するとともにモジュールが筐体から取り外されるのを抑制する連結装置を取り付け可能な電子機器が、知られている。
【先行技術文献】
【特許文献】
【０００３】
【特許文献１】特開２００９−１３４５５３号公報
【発明の概要】
【発明が解決しようとする課題】
【０００４】
上記従来の連結装置を適用し難い電子機器もある。
【０００５】
そこで、本発明の実施形態は、一例として、筐体が動かされるのを抑制するとともにモジュールが筐体から取り外されるのを抑制する連結装置を取り付け可能な、新規な構成の電子機器を得ることを、目的の一つとする。
【課題を解決するための手段】
【０００６】
実施形態にかかる電子機器は、一例として、筐体と、第一のモジュールと、第二のモジュールと、を備える。筐体は、連結装置の引掛部材が貫通する第一の開口部が設けられた第一の壁部を有した。第一のモジュールは、第一の開口部と重なり引掛部材が貫通する第二の開口部が設けられ第一の壁部と重なった第二の壁部を有し、筐体に設けられた第一の収容部に着脱可能に収容された。第二のモジュールは、筐体に設けられた第二の収容部に着脱可能に収容された。引掛部材が第一の開口部および第二の開口部を貫通することにより、第一のモジュールが第一の収容部から取り外されるのが抑制され、第一の収容部に収容された第一のモジュールにより、第二のモジュールが第二の収容部から取り外されるのが抑制された。
【図面の簡単な説明】
【０００７】
【図１】図１は、第１実施形態にかかるテレビジョン受像機の一例の正面図である。
【図２】図２は、第１実施形態にかかるテレビジョン受像機の一例の側面図である。
【図３】図３は、図１のIII−III線での模式的な断面図である。
【図４】図４は、図１のIV−IV線での模式的な断面図である。
【図５】図５は、第２実施形態にかかる電子機器の一例を正面側から見た斜視図である。
【図６】図６は、第２実施形態にかかる電子機器の一例を背面側から見た斜視図である。
【図７】図７は、第２実施形態にかかる電子機器の一例を背面側から見た斜視図であって、第一のモジュールが取り外された状態が示された図である。
【図８】図８は、図６のVIII−VIII線での模式的な断面図である。
【図９】図９は、第３実施形態にかかる電子機器の一例の第二筐体の背面図である。
【図１０】図１０は、図９のX−X線での模式的な断面図である。
【図１１】図１１は、第４実施形態にかかる電子機器および第一のモジュールの一例の、図８と同等位置での模式的な断面図である。
【図１２】図１２は、第５実施形態にかかる電子機器の一例を背面側から見た斜視図である。
【図１３】図１３は、図１２のXIII−XIII断面図である。
【図１４】図１４は、図１２のXIV−XIV線での模式的な断面図である。
【図１５】図１５は、図１２のXIV−XIV線での模式的な分解断面図である。
【図１６】図１６は、第６実施形態にかかる電子機器の一例の第二筐体の内部の模式的な平面図（一部断面図）である。
【図１７】図１７は、第６実施形態にかかる電子機器に含まれる第二モジュールのホルダの一例を図１６の矢印XVII方向から見た図である。
【図１８】図１８は、第７実施形態にかかる電子機器の一例の第二筐体の内部の模式的な平面図（一部断面図）である。
【図１９】図１９は、第８実施形態にかかる電子機器の一例の第二筐体の内部の模式的な平面図（一部断面図）である。
【図２０】図２０は、第９実施形態にかかる電子機器の一例の第二筐体の内部の模式的な平面図（一部断面図）である。
【図２１】図２１は、第１０実施形態にかかる電子機器の一例の第二筐体の内部の模式的な平面図（一部断面図）である。
【図２２】図２２は、第１１実施形態にかかる電子機器の一例の第二筐体の内部の模式的な平面図（一部断面図）である。
【図２３】図２３は、第１２実施形態にかかる電子機器の一例の第二筐体の内部の模式的な平面図（一部断面図）である。
【図２４】図２４は、第１３実施形態にかかる電子機器の一例の第二筐体の内部の模式的な平面図（一部断面図）である。
【図２５】図２５は、第１４実施形態にかかる電子機器の一例の第二筐体の内部の模式的な平面図（一部断面図）である。
【発明を実施するための形態】
【０００８】
以下の例示的な複数の実施形態には、同様の構成要素が含まれている。よって、以下では、同様の構成要素には共通の符号が付されるとともに、重複する説明が省略される。
【０００９】
また、以下の実施形態では、電子機器がテレビジョン受像機や所謂ノートブック型（クラムシェル型）のパーソナルコンピュータとして構成された場合が例示されるが、本実施形態にかかる電子機器は、これには限定されない。本実施形態にかかる電子機器は、着脱可能なモジュールを備えた電子機器、具体的には、例えば、所謂デスクトップ型やタブレット型（スレート型）のパーソナルコンピュータや、スマートテレビ、映像表示装置等として構成することができる。
【００１０】
＜第１実施形態＞
本実施形態では、一例として、図１，２に示されるように、テレビジョン受像機１Ａ（電子機器）は、支持部２Ａと筐体３Ａとを備える。具体的に、筐体３Ａには、表示装置４の少なくとも一部が収容されている。支持部２Ａ（スタンド部、台部、脚部）は、筐体３Ａを支持する。支持部２Ａは、外部載置面１００ａ（外部載置台１００、天板部１００ｂ）に載置された場合にこの外部載置面１００ａと向かい合う（当接する）領域２Ａａ（底壁、壁、領域、部分、脚）を有する。また、支持部２Ａは、筐体３Ａを、移動可能（回動可能）に支持することができる。その場合の筐体３Ａの動きとしては、例えば、チルト、ピボット、スイベル等がある。
【００１１】
筐体３Ａは、本実施形態では、一例として、図１に示されるように、正面視および背面視では四角形状（本実施形態では、一例として長方形状）に構成されている。また、筐体３Ａは、本実施形態では、一例として、図２に示されるように、前後方向に薄い扁平な直方体状に構成されている。筐体３Ａは、面３ａ（前面、上面、正面、面部）とこの反対側の面３ｂ（後面、下面、背面、面部）と、を有する。面３ａと面３ｂとは略平行している。また、筐体３Ａは、図１に示されるように、正面視では、四つの端部３ｃ〜３ｆ（辺部、縁部）と、四つの角部３ｇ〜３ｊ（尖部、曲部、端部）と、を有する。端部３ｃ，３ｅは、長辺部の一例である。また、端部３ｄ，３ｆは、短辺部の一例である。
【００１２】
また、筐体３Ａは、一例として、面３ａを有する壁部３ｋ（部分、プレート、フレーム、前壁部、表壁部、天壁部）と、面３ｂを有する壁部３ｍ（部分、プレート、後壁部、裏壁部、底壁部）と、を有する。壁部３ｋ，３ｍは、四角形状（本実施形態では、一例として長方形状）である。また、筐体３Ａは、壁部３ｋと壁部３ｍとの間に亘った面３ｐ（側面、周面）を有する四つの壁部３ｎ（部分、プレート、側壁部、端壁部、立壁部、亘部）を有する。なお、壁部３ｋには、一例としては四角形状の開口部３ｒが設けられている。よって、壁部３ｋは、四角形状かつ枠状である。
【００１３】
さらに、筐体３Ａは、複数の部品（分割体）が組み合わせられて構成されることができる。筐体３Ａは、本実施形態では、一例として、少なくとも壁部３ｋを含む第一筐体部材３１（第一部分、前側部材、マスク、マスク部、カバー、フロントカバー、カバー部、第一領域）と、少なくとも壁部３ｍを含む第二筐体部材３２（第二部分、後側部材、ベース、ベース部、ボトム、ボトム部、カバー、リヤカバー、カバー部、第二領域）とを有する。壁部３ｎは、第一筐体部材３１および第二筐体部材３２のうち少なくともいずれか一方（例えば、第二筐体部材３２）に含まれる。また、筐体３Ａは、第一筐体部材３１および第二筐体部材３２とは別に、これらの間に位置した第三筐体部材（第三部分、中間部材、隔部材、障壁部材、壁部材、介在部材、インナプレート、ミドルプレート、ミドルフレーム、第三領域、図示されず）や、第四筐体部材（第四部分、中間部材、隔部材、障壁部材、壁部材、介在部材、覆部材、シールド、第四領域、図示されず）等を有することができる。筐体３Ａは、金属材料や、合成樹脂材料等で構成されることができる。なお、第一筐体部材３１や第二筐体部材３２の筐体３Ａ内側には、リブ等の壁部（突出部、突出壁部、図示されず）が設けられることができる。これら壁部により、筐体３Ａの剛性が高くなりやすい。
【００１４】
また、本実施形態では、一例として、筐体３Ａの面３ｂや面３ｐ等には、コネクタや操作部等（図示されず）が設けられることができる。コネクタは、例えば、電源ケーブル用のコネクタや、ＵＳＢ（universal serial bus）コネクタ、カードコネクタ、イヤホンやマイクのコネクタ等であることができる。操作部は、例えば、押しボタンや、押しスイッチ、スライドスイッチ、ポインティングデバイス、ダイヤル等であることができる。また、面３ａには、カメラモジュール（カメラ、撮像装置、図示されず）を設けることができる。
【００１５】
また、本実施形態では、一例として、図１に示されるように、表示装置４（表示部、ディスプレイ、パネル）の、面３ａ側に位置した表示画面４ａは、開口部３ｒを介して筐体３Ａの前方（外方）に露出している。ユーザ等は、前方側から開口部３ｒを介して表示画面４ａを視認することができる。表示装置４は、正面視では四角形状（本実施形態では一例として長方形状）に構成されている。また、表示装置４は、前後方向に薄い扁平な直方体状に構成されている。表示装置４は、例えば、液晶ディスプレイ（ＬＣＤ，liquid crystal display）や有機ＥＬディスプレイ（ＯＥＬＤ，organic electro-luminescent display）等である。
【００１６】
また、本実施形態では、一例として、表示装置４の前側（表側、壁部３ｋ側）には、タッチパネル５（一例としては入力操作パネル、タッチセンサ、操作面、カバー）が設けられている。タッチパネル５は、透明な比較的薄い四角形状に構成され、表示画面４ａを覆っている。ユーザ等は、例えば、手指や部品（例えばスタイラス等、図示されず）等でタッチパネル５に対して、触れる、押す、擦る、あるいは手指やスタイラス等をタッチパネル５の近傍で動かす等の操作を行うことで、入力処理を実行することができる。また、表示装置４の表示画面４ａから出た光は、タッチパネル５を通過して壁部３ｋの開口部３ｒから筐体３Ａの前方（外方）へ出る。
【００１７】
そして、本実施形態では、一例として、筐体３Ａ内には、表示装置４の後側（裏側、背後側、壁部３ｍ側、表示画面４ａとは反対側）に、一つ以上の基板（回路基板、制御基板、メイン基板、電気部品、部品、図示されず）が収容されている。基板は、表示装置４と並行して設けられている。基板は、壁部３ｋ，３ｍ，３ｎ等と離間した状態で、すなわち、壁部３ｋ，３ｍ，３ｎ等との間に空間（隙間）が形成された状態で、設けられている。
【００１８】
また、本実施形態では、一例として、基板には、例えば、ＣＰＵ（central processing unit）や、グラフィックコントローラ、電源回路部品、ＰＣＨ（platform controller hub）、メモリスロットコネクタ、ＬＣＤコネクタ、Ｉ／Ｏ（input/output）コネクタ、電源コイル、素子、コネクタ等の複数の部品（図示されず）を実装することができる。また、制御回路は、例えば、映像信号処理回路や、チューナ部、ＨＤＭＩ（high-definition multimedia interface）信号処理部、ＡＶ（audio video）入力端子、リモコン信号受信部、制御部、セレクタ、オンスクリーンディスプレイインタフェース、記憶部（例えば、ＲＯＭ（read only memory）、ＲＡＭ（random access memory）、ＨＤＤ（hard disk drive）、ＳＳＤ（solid state drive）等）、音声信号処理回路等を、含むことができる。制御回路は、表示装置４の表示画面４ａでの映像（動画や静止画等）の出力や、スピーカ（図示されず）での音声の出力、ＬＥＤ（light emitting diode、図示されず）での発光等を制御する。表示装置４や、スピーカ、ＬＥＤ等は、出力部の一例である。
【００１９】
また、本実施形態では、一例として、図１，３，４に示されるように、筐体３Ａには、収容部３ｔが設けられている。具体的に、収容部３ｔは、筐体３Ａの端部３ｅ（下端部）に、外部載置面１００ａ側（下側）に向けて開放された切欠として設けられている。収容部３ｔは、端部３ｅに沿って延びている。そして、この収容部３ｔには、電池モジュール２０Ａ（モジュール、第一モジュール）が着脱可能に収容されている。電池モジュール２０Ａは、端部３ｅに沿って延びた直方体状（角棒状）に構成されている。本実施形態では、一例として、電池モジュール２０Ａは、収容部３ｔに、図１〜４の下側から上側に動かして（挿入して）取り付けられるとともに、収容部３ｔから、図１〜４の上側から下側に動かして取り外される。収容部３ｔ（筐体３Ａ）および電池モジュール２０Ａのうち少なくともいずれか一方には、電池モジュール２０Ａを収容部３ｔの所定位置（取付位置）に向けてガイドする構造や、当該所定位置でロックするロック構造、当該ロック構造によるロックを解除するロック解除構造（いずれも図示されず）が設けられている。
【００２０】
さらに、本実施形態では、一例として、図２，３に示されるように、筐体３Ａには、公知の連結装置１０（ロック装置、移動抑制装置、盗難抑制装置）を取り付けることができる。連結装置１０は、筐体１０ａ（支持部、ボディ、本体部、固定部分、第一部分）や、連結部材１０ｂ（引掛部材、ロック部材、フック部材、鍵部材、部材、可動部、第二部分）、ワイヤ１０ｃ等を含む。ワイヤ１０ｃの一方側の端部１０ｄは、筐体１０ａに固定されている。ワイヤ１０ｃの他方側の端部１０ｅには、環状部１０ｆ（リング部）が設けられている。本実施形態では、一例として、図２に示されるように、筐体１０ａおよびワイヤ１０ｃの端部１０ｄは、外部載置台１００の脚部１００ｃに巻かれた後、環状部１０ｆの環内を通されて、筐体３Ａに連結される。したがって、図２に示された状態に連結装置１０が筐体３Ａに取り付けられたテレビジョン受像機１Ａは、ワイヤ１０ｃが延びた位置より遠くに移動させることができない。すなわち、連結装置１０は、テレビジョン受像機１Ａの移動（例えば、不本意な移動、盗難等）を抑制することができる。
【００２１】
本実施形態では、一例として、図３に示されるように、筐体３Ａの壁部３ｍの外側（筐体外側、背後側）には、電池モジュール２０Ａの筐体２０ａ（支持部、ボディ、本体部、第一部分）から延びた壁部２０ｂ（フランジ部、突出部、第二の壁部）が重ねられている。壁部３ｍ（第一の壁部）には、壁部２０ｂを収容する凹部３ｕ（収容部、段差部）が設けられている。これにより、面３ｂと面２０ｃとの間に段差は殆ど無い。そして、連結部材１０ｂが通される開口部３ｖ（第一の開口部），２０ｄ（第二の開口部）は、壁部３ｍと壁部２０ｂとが重なった部分に設けられている。連結部材１０ｂは、Ｔ字状あるいはＬ字状（本実施形態では、一例としてＴ字状）に構成され、筐体１０ａから伸びた軸部１０ｇ（アーム部）とその先端側の爪部１０ｈ（フック部）とを有する。開口部３ｖ，２０ｄは、端部３ｅに沿って長い長穴状に形成されている。連結部材１０ｂの爪部１０ｈは、この長穴状の開口部３ｖ，２０ｄに通された後、軸部１０ｇを中心として例えば９０°回動されることにより、図３に示されるような、筐体１０ａと爪部１０ｈとの間に壁部３ｍ，２０ｄが挟まれた状態、すなわち、連結装置１０が筐体３Ａに連結され、ロックされた状態が得られる。壁部３ｍ，２０ｂは、引掛部（支持部、係合部、抜止部）の一例である。なお、連結装置１０が筐体３Ａに連結され、ロックされた状態で、筐体１０ａの筐体３Ａに対する回動（姿勢変化）は抑制される。また、連結部材１０ｂは、ユーザ等が図示されない鍵を筐体１０ａに連結部材１０ｂとは反対側（背後側）から差し込んで回動することで、回動させる（施錠する）ことができる。また、ユーザ等が当該鍵を回すことで、連結装置１０の筐体３Ａに対する連結（ロック）を解除（解錠）することができる。
【００２２】
また、本実施形態では、一例として、筐体３Ａ内には、第二モジュール３０Ａ（例えば、ＨＤＤ（hard disk drive）モジュールや、ＳＳＤ（solid state drive）モジュール、ＯＤＤ（optical disk drive）モジュール等、本実施形態では、一例としてＨＤＤモジュール）が、着脱可能に収容されている。第二モジュール３０Ａは、電気部品（電子部品）であり、図示されないコネクタ同士が電気的に接続されることで、筐体３Ａ内の基板（図示されず）と電気的に接続されている。ここで、本実施形態では、一例として、図４に示されるように、第二モジュール３０Ａの一部が、電池モジュール２０Ａの一部で覆われている。よって、本実施形態では、一例として、収容部３ｔに収容された電池モジュール２０Ａによって、第二モジュール３０Ａがその収容部（筐体３Ａ）から出るのが抑制される。すなわち、本実施形態では、一例として、電池モジュール２０Ａを収容部３ｔから出さなければ、第二モジュール３０Ａをその収容部（筐体３Ａ）から出すことができない。また、上述したように、連結装置１０を筐体３Ａから外さなければ、電池モジュール２０Ａを収容部３ｔから出すことはできない。したがって、本実施形態によれば、一例としては、連結装置１０により、電池モジュール２０Ａに加えて、第二モジュール３０Ａも筐体３Ａにロックされている。
【００２３】
以上説明したように、本実施形態では、一例として、筐体３Ａの壁部３ｍと当該壁部３ｍの筐体外側に位置された電池モジュール２０Ａの壁部２０ｂとが重なった部分に、開口部３ｖ，２０ｄが設けられている。そして、連結部材１０ｂが開口部３ｖ，２０ｄを貫通することにより、連結装置１０が筐体３Ａに連結されるとともに、電池モジュール２０Ａが収容部３ｔに収容された状態で筐体３Ａにロックされ、さらに、第二モジュール３０Ａが筐体３Ａにロックされる（固定される）。したがって、本実施形態によれば、一例としては、連結装置１０によって筐体３Ａの移動を抑制できるとともに電池モジュール２０Ａならびに第二モジュール３０Ａが収容部から取り外される（出る）のを抑制できる構成を、比較的簡素な構成として得ることができる。また、本実施形態によれば、一例としては、電池モジュール２０Ａに筐体３Ａの壁部３ｍと重なる部分（本実施形態では、一例として壁部２０ｂ）を設けることができ、互いに重なりあった開口部３ｖ，２０ｄを設けることができ、それら壁部３ｍ，２０ｂの内部に連結部材１０ｂを収容する空間を設けることができれば、連結装置１０による上記効果が得られる。よって、一例としては、筐体３Ａにおける連結装置１０や他の部品のレイアウトの自由度が高まりやすい。
【００２４】
＜第２実施形態＞
本実施形態では、一例として、図５，６に示されるように、電子機器１Ｂは、第一筐体３Ｂと第二筐体２Ｂとを備える。具体的に、第一筐体３Ｂ（第一部分）には、表示装置４の少なくとも一部が収容される。また、第一筐体３Ｂには、表示装置４と重なって透明なタッチパネル５（タッチセンサ、入力操作部、入力受付部、入力部）が設けられている。ユーザ等は、タッチパネル５を介して表示装置４の表示画面４ａに表示される映像（画像）を視認することができる。
【００２５】
図５に示されるように、第二筐体２Ｂ（第二部分）には、基板６が収容されている。第二筐体２Ｂには、キーボード７（入力操作部、第一入力操作部、入力受付部、入力部）や、ポインティングデバイス８ａ（入力操作部、第二入力操作部、入力受付部、入力部）、クリックボタン８ｂ（入力操作部、入力受付部、入力部）等が設けられる。
【００２６】
第一筐体３Ｂと第二筐体２Ｂとは、ヒンジ機構９（ヒンジ部、接続部、連結部、回動支持部、接続機構、連結機構、回動支持機構）によって回動可能に接続されている。第一筐体３Ｂと第二筐体２Ｂとは、ヒンジ機構９により、少なくとも図５，６に示される展開状態と、図示されない折り畳み状態との間で回動可能に接続されている。本実施形態では、一例として、ヒンジ機構９は、第一筐体３Ｂと第二筐体２Ｂとを、回動軸Ａｘ回りに回動可能に、接続している。
【００２７】
表示装置４の表示画面４ａは、第一筐体３Ｂの面３ａ（前面、上面、正面、面部）に設けられた開口部３ｒを介して視認可能である。また、キーボード７や、ポインティングデバイス８ａ、クリックボタン８ｂ等は、第二筐体２Ｂの面２ａ（前面、上面、正面、面部）に露出している。折り畳み状態では、第一筐体３Ｂの面３ａと第二筐体２Ｂの面２ａとが重なり、表示画面４ａや、キーボード７、ポインティングデバイス８ａ、クリックボタン８ｂ等は、第一筐体３Ｂおよび第二筐体２Ｂに隠される。展開状態では、第一筐体３Ｂの面３ａおよび第二筐体２Ｂの面２ａが露出され、表示画面４ａや、キーボード７、ポインティングデバイス８ａ、クリックボタン８ｂ等は、使用可能（視認可能あるいは操作可能）になる。なお、第一筐体３Ｂの厚さ方向の一方がタッチパネル５の面で覆われる場合もある。その場合、タッチパネル５の面が第一筐体３Ｂの面である。また、第二筐体２Ｂにキーボード７に替えてタッチパネル付きの表示装置（図示されず）が設けられる場合もある。さらに、第二筐体２Ｂの厚さ方向の一方がタッチパネルの面で覆われる場合もある。その場合、タッチパネルの面が第二筐体２Ｂの面である。
【００２８】
第一筐体３Ｂは、本実施形態では、一例として、図５，６に示されるように、正面視および背面視では四角形状（本実施形態では、一例として長方形状）に構成されている。また、第一筐体３Ｂは、本実施形態では、一例として、薄い扁平な直方体状に構成されている。第一筐体３Ｂは、面３ａとこの反対側の面３ｂ（後面、下面、背面、面部）と、を有する。面３ａと面３ｂとは略平行である。また、第一筐体３Ｂは、図５，６に示されるように、正面視では、四つの端部３ｃ〜３ｆ（辺部、縁部）と、四つの角部３ｇ〜３ｊ（尖部、曲部、端部）と、を有する。端部３ｃ，３ｅは、長辺部の一例である。また、端部３ｄ，３ｆは、短辺部の一例である。
【００２９】
また、第一筐体３Ｂは、面３ａを有する壁部３ｋ（部分、プレート、フレーム、前壁部、表壁部、天壁部）と、面３ｂを有する壁部３ｍ（部分、プレート、後壁部、裏壁部、底壁部）と、を有する。壁部３ｋ，３ｍは、四角形状（本実施形態では、一例として長方形状）である。また、第一筐体３Ｂは、壁部３ｋと壁部３ｍとの間に亘った面３ｐ（側面、周面）を有する四つの壁部３ｎ（部分、プレート、側壁部、端壁部、立壁部、亘部）を有する。なお、壁部３ｋには、一例としては四角形状の開口部３ｒが設けられている。よって、壁部３ｋは、四角形状かつ枠状である。
【００３０】
さらに、第一筐体３Ｂは、複数の部品（分割体）が組み合わせられて構成されることができる。第一筐体３Ｂは、本実施形態では、一例として、少なくとも壁部３ｋを含む第一筐体部材３１（第一部分、前側部材、マスク、マスク部、カバー、フロントカバー、カバー部、第一領域）と、少なくとも壁部３ｍを含む第二筐体部材３２（第二部分、後側部材、ベース、ベース部、ボトム、ボトム部、カバー、リヤカバー、カバー部、第二領域）とを有する。壁部３ｎは、第一筐体部材３１および第二筐体部材３２のうち少なくともいずれか一方（例えば、第二筐体部材３２）に含まれる。また、第一筐体３Ｂは、第一筐体部材３１および第二筐体部材３２とは別に、これらの間に位置した第三筐体部材（第三部分、中間部材、隔部材、障壁部材、壁部材、介在部材、インナプレート、ミドルプレート、ミドルフレーム、第三領域、図示されず）や、第四筐体部材（第四部分、中間部材、隔部材、障壁部材、壁部材、介在部材、覆部材、シールド、第四領域、図示されず）等を有することができる。第一筐体３Ａは、金属材料や、合成樹脂材料等で構成されることができる。
【００３１】
また、本実施形態では、一例として、表示装置４（表示部、ディスプレイ、パネル）の、面３ａ側に位置した表示画面４ａは、開口部３ｒを介して第一筐体３Ｂの前方（外方）に露出している。ユーザ等は、前方側から開口部３ｒを介して表示画面４ａを視認することができる。表示装置４は、正面視では四角形状（本実施形態では一例として長方形状）に構成されている。また、表示装置４は、前後方向に薄い扁平な直方体状に構成されている。表示装置４は、例えば、液晶ディスプレイ（ＬＣＤ，liquid crystal display）や有機ＥＬディスプレイ（ＯＥＬＤ，organic electro-luminescent display）等である。
【００３２】
また、本実施形態では、一例として、表示装置４の前側（表側、壁部３ｋ側）には、タッチパネル５（一例としては入力操作パネル、タッチセンサ、操作面、カバー）が設けられている。タッチパネル５は、透明な比較的薄い四角形状に構成され、表示画面４ａを覆っている。操作者（ユーザ等）は、例えば、手指や部品（例えばスタイラス等、図示されず）等でタッチパネル５に対して、触れる、押す、擦る、あるいは手指やスタイラス等をタッチパネル５の近傍で動かす等の操作を行うことで、入力処理を実行することができる。また、表示装置４の表示画面４ａから出た光は、タッチパネル５を通過して壁部３ｋの開口部３ｒから第一筐体３Ｂの前方（外方）へ出る。
【００３３】
第二筐体２Ｂは、本実施形態では、一例として、図５，６に示されるように、正面視および背面視では四角形状（本実施形態では、一例として長方形状）に構成されている。また、第二筐体２Ｂは、本実施形態では、一例として、薄い扁平な直方体状に構成されている。第二筐体２Ｂは、面２ａとこの反対側の面２ｂ（後面、下面、背面、面部）と、を有する。面２ａと面２ｂとは略平行である。また、第二筐体２Ｂは、面２ａに対する正面視では、四つの端部２ｃ〜２ｆ（辺部、縁部）と、四つの角部２ｇ〜２ｊ（尖部、曲部、端部）と、を有する。端部２ｃ，２ｅは、長辺部の一例である。また、端部２ｄ，２ｆは、短辺部の一例である。
【００３４】
また、第二筐体２Ｂは、面２ａを有する壁部２ｋ（部分、プレート、フレーム、前壁部、表壁部、天壁部）と、面２ｂを有する壁部２ｍ（部分、プレート、後壁部、裏壁部、底壁部）と、を有する。壁部２ｋ，２ｍは、四角形状（本実施形態では、一例として長方形状）である。また、第二筐体２Ｂは、壁部２ｋと壁部２ｍとの間に亘った面２ｐ（側面、周面）を有する四つの壁部２ｎ（部分、プレート、側壁部、端壁部、立壁部、亘部）を有する。なお、壁部２ｋには、一例としては四角形状の開口部２ｒが設けられている。よって、壁部２ｋは、四角形状かつ枠状である。
【００３５】
さらに、第二筐体２Ｂは、一例として、複数の部品（分割体）が組み合わせられて構成されることができる。第二筐体２Ｂは、本実施形態では、一例として、少なくとも壁部２ｋを含む第一筐体部材２１（第一部分、前側部材、マスク、マスク部、カバー、フロントカバー、カバー部、第一領域）と、少なくとも壁部２ｍを含む第二筐体部材２２（第二部分、後側部材、ベース、ベース部、ボトム、ボトム部、カバー、リヤカバー、カバー部、第二領域）とを有する。壁部２ｎは、第一筐体部材２１および第二筐体部材２２のうち少なくともいずれか一方（例えば、第二筐体部材２２）に含まれる。また、第二筐体２Ｂは、第一筐体部材２１および第二筐体部材２２とは別に、これらの間に位置した第三筐体部材（第三部分、中間部材、隔部材、障壁部材、壁部材、介在部材、インナプレート、ミドルプレート、ミドルフレーム、第三領域、図示されず）や、第四筐体部材（第四部分、中間部材、隔部材、障壁部材、壁部材、介在部材、覆部材、シールド、第四領域、図示されず）等を有することができる。第二筐体２Ｂは、金属材料や、合成樹脂材料等で構成されることができる。
【００３６】
また、本実施形態では、一例として、キーボード７の操作面７ａ（面、上面）は、開口部２ｒを介して第二筐体２Ｂの前方（外方）に露出している。面２ａにおいて、キーボード７は、端部２ｅ側に寄せて位置され、ポインティングデバイス８ａならびにクリックボタン８ｂは端部２ｅとは反対側の端部２ｃ側に寄せて配置されている。端部２ｅは奥行方向（前後方向）の奥側に位置され、端部２ｃは手前側に位置されている。
【００３７】
そして、本実施形態では、一例として、図５に示されるように、第二筐体２Ｂ内には、キーボード７の後側（裏側、背後側、壁部２ｍ側、操作面７ａとは反対側）に、一つ以上の基板６（回路基板、制御基板、メイン基板、電気部品、第一電気部品）が収容されている。基板６は、キーボード７と並行して設けられている。基板６は、壁部２ｋ，２ｍ，２ｎ等と離間した状態で、すなわち、壁部２ｋ，２ｍ，２ｎ等との間に空間（隙間）が形成された状態で、設けられている。
【００３８】
また、本実施形態では、一例として、基板６には、例えば、ＣＰＵ（central processing unit）や、グラフィックコントローラ、電源回路部品、ＰＣＨ（platform controller hub）、メモリスロットコネクタ、ＬＣＤコネクタ、Ｉ／Ｏ（input/output）コネクタ、電源コイル、素子、コネクタ等の複数の部品（図示されず）を実装することができる。また、制御回路は、例えば、映像信号処理回路や、チューナ部、ＨＤＭＩ（high-definition multimedia interface）信号処理部、ＡＶ（audio video）入力端子、リモコン信号受信部、制御部、セレクタ、オンスクリーンディスプレイインタフェース、記憶部（例えば、ＲＯＭ（read only memory）、ＲＡＭ（random access memory）、ＨＤＤ（hard disk drive）、ＳＳＤ（solid state drive）等）、音声信号処理回路等を、含むことができる。制御回路は、表示装置４の表示画面４ａでの映像（動画や静止画等）の出力や、スピーカ（図示されず）での音声の出力、ＬＥＤ（light emitting diode、図示されず）での発光等を制御する。表示装置４や、スピーカ、ＬＥＤ等は、出力部の一例である。
【００３９】
また、本実施形態では、一例として、図６〜８に示されるように、第二筐体２Ｂには、収容部２ｔが設けられている。具体的に、収容部２ｔは、第二筐体２Ｂの端部２ｅ（下端部）に、外部載置面１００ａ側（下側）に向けて開放された切欠として設けられている。収容部２ｔは、端部２ｅに沿って延びている。そして、この収容部２ｔには、電池モジュール２０Ｂ（モジュール、第一モジュール）が着脱可能に収容されている。電池モジュール２０Ｂは、端部２ｅに沿って延びた直方体状（角棒状）に構成されている。本実施形態では、一例として、電池モジュール２０Ｂは、収容部２ｔに、図５の奥側（後側、背面側後方）から手前側（前側、正面側、前方）に動かして（挿入して）取り付けられるとともに、収容部２ｔから、逆方向に動かして取り外される。また、本実施形態では、一例として、図７に示されるように、収容部２ｔ（第二筐体２Ｂ）および電池モジュール２０Ｂには、電池モジュール２０Ｂを収容部２ｔの所定位置（取付位置）に向けてガイドする構造（ガイド部、本実施形態では、一例として、一例として、ガイド突起４１や、ガイド溝４２等）や、当該所定位置でロックするロック構造５０（ロック機構、ロック装置）、当該ロック構造５０によるロックを解除するロック解除構造（ロック解除機構、ロック解除装置）が設けられている。
【００４０】
さらに、本実施形態でも、一例として、図８に示されるように、上記第１実施形態と同様に、第二筐体２Ｂの壁部２ｎと当該壁部２ｎの筐体外側に位置された電池モジュール２０Ｂの壁部２０ｂとが重なった部分に、開口部２ｖ，２０ｄが設けられている。そして、連結部材１０ｂが開口部２ｖ，２０ｄを貫通することにより、連結装置１０が第二筐体２Ｂに連結されるとともに、電池モジュール２０Ｂが収容部２ｔに収容された状態で第二筐体２Ｂにロックされる。したがって、本実施形態によっても、一例としては、連結装置１０によって第二筐体２Ｂ（電子機器１Ｂ）の移動を抑制することができるとともに電池モジュール２０Ｂが収容部２ｔから取り外される（出る）のを抑制することができる。また、電池モジュール２０Ｂは、コネクタ２５を有し、収容部２ｔに収容された状態で、第二筐体２Ｂのコネクタ２６と電気的に接続されている。コネクタ２６は、一例としては、基板６（図５参照）に設けられている。
【００４１】
また、本実施形態では、一例として、図７，８に示されるように、第二筐体２Ｂの壁部２ｎ（第一の壁部）の外側（筐体外側、背後側）には、電池モジュール２０Ｂの筐体２０ａ（支持部、ボディ、本体部、第一部分）から端部２ｅ（壁部２ｎ）に沿って延びた壁部２０ｂ（フランジ部、突出部、第二の壁部）が重ねられている。壁部２ｎには、壁部２０ｂを収容する凹部２ｕ（収容部、段差部）が設けられている。これにより、面２ｐと面２０ｃとの間に段差は殆ど無い。そして、連結部材１０ｂが通される開口部２ｖ，２０ｄは、壁部２ｎと壁部２０ｂとが重なった部分に設けられている。
【００４２】
また、本実施形態では、一例として、図６〜８に示されるように、開口部２ｖ，２０ｄとは離れた位置（本実施形態では、一例として筐体２０ａの開口部２ｖ，２０ｄとは反対側）に、ガイド部４３，４４が設けられている。具体的に、電池モジュール２０Ｂには、筐体２０ａの壁部２０ｂとは反対側に端部２ｅ（壁部２ｎ）に沿って延びた壁部２０ｅ（第三の壁部）が設けられ、壁部２ｎに重ねられている。壁部２ｎには、壁部２０ｅを収容する凹部２ｕが設けられている。すなわち、壁部２０ｅが設けられた部分でも、面２ｐと面２０ｃとの間に段差は殆ど無い。そして、壁部２０ｅには、開口部２０ｆ（第四の開口部）が設けられている。壁部２ｎの壁部２０ｅと重なる部分には、開口部２０ｆに挿入される突出部２ｗが設けられている。開口部２０ｆは、四角形状に形成され、突出部２ｗは、比較的高さが低い角柱状に形成されている。開口部２０ｆならびにその周縁部２０ｇがガイド部４３の一例であり、突出部２ｗがガイド部４４の一例である。よって、本実施形態によれば、一例としては、電池モジュール２０Ｂの着脱の際に作用する外力や、連結装置１０から作用する外力等によって、壁部２０ｂや当該壁部２０ｂと筐体２０ａとの境界部分等で応力が増大（集中）するのが抑制される。また、本実施形態によれば、一例としては、壁部２０ｂと壁部２０ｅとで電池モジュール２０Ｂが第二筐体２Ｂに両端支持される。よって、一例としては、電池モジュール２０Ｂが第二筐体２Ｂにより安定的に支持されうる。
【００４３】
本実施形態でも、上記他の実施形態と同様の構成に基づく同様の結果（効果）が得られる。さらに、本実施形態では、一例として、第二筐体２Ｂは、開口部２ｖとは離れた位置に、電池モジュール２０Ｂをガイドするガイド部４４を有した。よって、本実施形態によれば、一例としては、電池モジュール２０Ｂがより安定的に支持されやすい。また、一例としては、電池モジュール２０Ｂで局所的に応力が増大するのが抑制されやすい。また、本実施形態では、一例として、ガイド部４４は、収容部２ｔ（筐体２０ａ）の開口部２ｖとは反対側に位置されるとともに、ガイド部４４は、筐体２０ａの壁部２０ｂとは反対側に設けられた壁部２０ｅに設けられている。よって、本実施形態によれば、一例としては、電池モジュール２０Ｂがより一層安定的に支持されやすく、また、電池モジュール２０Ｂで局所的に応力が増大するのがより一層抑制されやすい。
【００４４】
＜第３実施形態＞
本実施形態では、一例として、図９，１０に示されるように、第二筐体２Ｃには、電池モジュール２０Ｃをロックするロック構造５０（ロック解除構造、ロック機構、ロック解除機構、ロック装置、ロック解除装置）が設けられている。具体的に、ロック構造５０は、フック５０ａ（引掛部、突出部、支持部、係合部、爪部）と操作子５０ｂ（操作部、スライダ）とが一体化されたロック部材５０ｃ（可動部）と、当該ロック部材５０ｃを付勢する弾性部材５０ｄ（一例としては、コイルスプリング）とを有する。ロック部材５０ｃは、第二筐体２Ｃに、端部２ｅに沿って移動可能（往復可能）に支持されている。フック５０ａは、弾性部材５０ｄに押されて電池モジュール２０Ａに設けられた凹部２０ｈに挿入され、これにより、電池モジュール２０Ｃが収容部２ｔに収容された状態でロックされる。
【００４５】
そして、本実施形態では、一例として、操作子５０ｂに開口部５０ｅが設けられている。この開口部５０ｅは、図９，１０に示されるロック部材５０ｃが電池モジュール２０Ｃを収容部２ｔに収容された状態にロックした位置で、第二筐体２Ｃの壁部２ｎに設けられた開口部２ｖと重なっている。そして、連結装置１０の連結部材１０ｂが、開口部２ｖ，５０ｅを貫通し、爪部１０ｈと筐体１０ａとの間に壁部２ｎと操作子５０ｂ（ロック部材５０ｃ）が挟まれている。すなわち、本実施形態によっても、一例としては、連結装置１０により、第二筐体２Ｃ（電子機器１Ｃ）の移動が抑制されるとともに、電池モジュール２０Ｃが収容部２ｔから取り外される（出る）のが抑制される。なお、本実施形態でも、上記他の実施形態と同様の構成に基づく同様の結果（効果）が得られる。
【００４６】
＜第４実施形態＞
本実施形態では、一例として、図１１に示されるように、電池モジュール２０Ｄが第二筐体２Ｄの収容部２ｔに収容された状態で、連結装置１０の筐体１０ａの一部が電池モジュール２０Ｄの収容位置より外側（取り外し方向）に位置され、電池モジュール２０Ｄが収容部２ｔから出るのが抑制される。すなわち、本実施形態によっても、一例としては、連結装置１０により、第二筐体２Ｄ（電子機器１Ｄ）の移動が抑制されるとともに、電池モジュール２０Ｄが収容部２ｔから取り外される（出る）のが抑制される。さらに、第二筐体２Ｄには、収容部２ｔに臨む開口部２ｔ１が設けられ、この開口部２ｔ１の筐体内側に設けられたコネクタ２５（保持部、ホルダ、ソケット、収容部）に、カード２６（メディア、モジュール、部品、電子部品、一例としてはＳＩＭ（subscriber identity module）カード）が、着脱可能に保持されている。カード２６は、開口部２ｔ１および収容部２ｔを介して、取り出される。電池モジュール２０Ｄが収容部２ｔに収容された状態では、カード２６は、当該電池モジュール２０Ｄによって隠されているので、連結装置１０により、カード２６がコネクタ２５から取り出される（出る）のが抑制される。なお、本実施形態でも、上記他の実施形態と同様の構成に基づく同様の結果（効果）が得られる。
【００４７】
＜第５実施形態＞
本実施形態では、一例として、図１２，１３に示されるように、第二筐体２Ｅには、電池モジュール２０Ｅの収容部２ｔに隣接して収容部２ｘ（第二の収容部）が設けられ、この収容部２ｘに、上記他の実施形態と同様の第二モジュール３０Ｅが、着脱可能に収容されている。本実施形態では、一例として、収容部２ｘは、第二筐体２Ｅの面２ｂに開口された凹部（開口部、空間、隙間）として構成されている。また、収容部２ｘは、蓋１１（蓋部材、覆部材、抑制部材）に着脱可能に覆われている。電池モジュール２０Ｅが第二筐体２Ｅに取り付けられかつロックされる構造は、上記第２実施形態と同様である。
【００４８】
ただし、本実施形態では、一例として、蓋１１は、電池モジュール２０Ｅを収容部２ｔから取り外さなければ外れない（電池モジュール２０Ｅが取り外された（無い、離間された）状態で着脱できる）ように構成されている。すなわち、電池モジュール２０Ｅは、蓋１１の取り外し経路（移動経路、着脱経路）の少なくとも一部を遮り、蓋１１の取り外しを抑制し、蓋１１を装着状態（取付状態、覆状態）でロックしている。具体的には、図１４，１５に示されるように、第二モジュール３０Ｅは、収容部２ｘから、図１４，１５の下方に向けて取り外される（出る）。蓋１１は、第二モジュール３０Ｅに対して図１４，１５の下方に位置され、第二モジュール３０Ｅを図１４，１５の下方から覆っている。すなわち、蓋１１は、第二モジュール３０Ｅの取り外し経路を遮り、第二モジュール３０Ｅが取り外されるのを抑制している。また、蓋１１は、図１４，１５の右方から、第二筐体２Ｅに取り付けられる。すなわち、蓋１１は、フック１１ａ（引掛部、爪部、支持部、取付部、結合部）を有し、フック１１ａは、第二筐体２Ｅに設けられた開口部２ｙに、図１４，１５の右方から差し込まれる。そして、電池モジュール２０Ｅは、第二筐体２Ｅに取り付けられた蓋１１に対して図１４，１５の右方に位置されている。電池モジュール２０Ｅは、連結装置１０によって、収容部２ｔに収容された状態でロックされている。したがって、本実施形態によっても、一例としては、連結装置１０により、第二筐体２Ｅ（電子機器１Ｅ）の移動が抑制されるとともに、電池モジュール２０Ｅが収容部２ｔから取り外される（出る）のが抑制され、さらに、第二モジュール３０Ｅが収容部２ｘから取り外される（出る）のが抑制される。なお、本実施形態でも、上記他の実施形態と同様の構成に基づく同様の結果（効果）が得られる。
【００４９】
＜第６実施形態＞
本実施形態では、一例として、図１６，１７に示されるように、連結装置１０によって、第二筐体２Ｆ（電子機器１Ｆ）の移動が抑制されるとともに上記他の実施形態と同様の第二モジュール３０Ｆ（アセンブリ）が第二筐体２Ｆ内の収容部２ｘから取り外される（出る）のが抑制される。具体的に、第二モジュール３０Ｆは、筐体３０ａ（ボディ、本体部、固定部分、第一部分、モジュール、電気部品）と、ホルダ３０ｂ（保持部材、支持部材、ブラケット、部材）と、を有する。ホルダ３０ｂは、板状部材で構成されており、第二筐体２Ｆの壁部２ｎの内側（筐体内側）に面した壁部３０ｃを有する。そして、互いに重なった壁部２ｎ，３０ｃに、互いに重なった開口部２ｖ，３０ｄが設けられている。開口部３０ｄ（第二の開口部）は、一例としては、図１７に示されるように、上記他の実施形態で設けられた連結部材１０ｂが通る開口部と同様、長穴状に構成されている。そして、連結装置１０の連結部材１０ｂが、開口部２ｖ，３０ｄを貫通し、爪部１０ｈと筐体１０ａとの間に壁部２ｎ，３０ｃが挟まれている。すなわち、本実施形態によれば、一例としては、連結装置１０により、第二筐体２Ｆ（電子機器１Ｆ）の移動が抑制されるとともに、第二モジュール３０Ｆが収容部２ｘから取り外される（出る）のが抑制される。なお、本実施形態でも、上記他の実施形態と同様の構成に基づく同様の結果（効果）が得られる。
【００５０】
＜第７実施形態＞
本実施形態でも、上記第６実施形態と同様に、一例としては、図１８に示されるように、連結装置１０によって、第二筐体２Ｇ（電子機器１Ｇ）の移動が抑制されるとともに上記他の実施形態と同様の第二モジュール３０Ｇが第二筐体２Ｇ内の収容部２ｘから取り外される（出る）のが抑制される。ただし、本実施形態では、開口部２ｖが設けられた壁部２ｎが、上記第６実施形態とは異なる。これに伴って、ホルダ３０ｂ（壁部３０ｃ）の構造が、上記第６実施形態とは異なる。さらに、本実施形態では、一例として、第二筐体２Ｇには、ホルダ３０ｂの壁部３０ｃの、壁部２ｎとは反対側に、壁部２ｚ（リブ、突出部、突起）が設けられている。壁部３０ｃは、壁部２ｎと壁部２ｚとの間に挟まれている。壁部２ｚにも、連結部材１０ｂが通される開口部２ｖ１が設けられている。壁部３０ｃに設けられた開口部３０ｄは、開口部２ｖ，２ｖ１より大きい。そして、連結装置１０の連結部材１０ｂが、開口部２ｖ，３０ｄ，２ｖ１を貫通し、爪部１０ｈと筐体１０ａとの間に壁部２ｎ，３０ｃ，２ｚが挟まれている。すなわち、本実施形態によれば、一例としては、連結装置１０により、第二筐体２Ｇ（電子機器１Ｇ）の移動が抑制されるとともに、第二モジュール３０Ｇが収容部２ｘから取り外される（出る）のが抑制される。ただし、本実施形態によれば、一例としては、第二モジュール３０Ｇの壁部３０ｃは、第二筐体２Ｇの二つの壁部２ｎ，２ｚに挟まれている。また、壁部３０ｃに設けられた開口部３０ｄは、壁部２ｎ，２ｚに設けられた開口部２ｖ，２ｖ１より大きい。よって、本実施形態によれば、一例としては、連結装置１０の連結部材１０ｂから、第二モジュール３０Ｇに、直接的に外力（荷重、衝撃荷重等）が作用しにくい。よって、本実施形態によれば、一例としては、連結装置１０に作用した力によって、第二モジュール３０Ｇが損傷したり、電気的な異常処理（例えば、リードライトエラー等）が生じたりするのが抑制されやすい。さらに、本実施形態によれば、一例としては、壁部２ｎが合成樹脂材料等で構成されている場合に、壁部２ｚを設けることで、連結装置１０が連結される部分の剛性が高まりやすい。また、一例としては、壁部２ｚを壁部２ｎより強い（撓みにくい、堅い、剛性が高い）材質とすることで、第二筐体２Ｇの軽量化と連結装置１０に対する高剛性とが両立されやすい。なお、本実施形態でも、上記他の実施形態と同様の構成に基づく同様の結果（効果）が得られる。
【００５１】
＜第８実施形態＞
本実施形態でも、上記第６実施形態と同様に、一例としては、図１９に示されるように、連結装置１０によって、第二筐体２Ｈ（電子機器１Ｈ）の移動が抑制されるとともに上記他の実施形態と同様の第二モジュール３０Ｈが第二筐体２Ｈ内の収容部２ｘから取り外される（出る）のが抑制される。ただし、本実施形態では、第二モジュール３０Ｈが収容部２ｘから取り外される（出る）のを抑制する蓋１１が、第二筐体２Ｈから取り外されるのが抑制される。具体的に、第二筐体２Ｈの壁部２ｎの一部に開口部２３ａ（切欠、凹部）が設けられ、開口部２３ａに蓋１１の壁部１１ｂが収容される。開口部２３ａの奥側には、第二筐体２Ｈの壁部２３ｂが設けられる。壁部２３ｂは、壁部２ｎより内側（筐体内側）に位置される。壁部２３ｂと壁部２ｎとの間には、段差が構成されている。蓋１１の壁部１１ｂと第二筐体２Ｈの壁部２３ｂとは互いに重なっている。そして、互いに重なった壁部２３ｂ，１１ｂに、互いに重なった開口部２３ｃ，１１ｃが設けられている。そして、連結装置１０の連結部材１０ｂが、開口部２３ｃ，１１ｃを貫通し、爪部１０ｈと筐体１０ａとの間に壁部２３ｂ，１１ｂが挟まれている。すなわち、本実施形態によれば、連結装置１０により、第二筐体２Ｈ（電子機器１Ｈ）の移動が抑制されるとともに、蓋１１が第二筐体２Ｈから取り外されるのが抑制され、ひいては、第二モジュール３０Ｈが収容部２ｘから取り外される（出る）のが抑制される。また、本実施形態でも、上記第７実施形態と同様、壁部２３ｂを壁部２ｎより強い（撓みにくい、堅い、剛性が高い）材質とすることで、第二筐体２Ｈの軽量化と連結装置１０に対する高剛性とが両立されやすい。なお、壁部２３ｂは、壁部２ｎに開口部２３ａ間を亘る状態に設けられてもよいし、他の壁部（一例としては、壁部２ｍ，２ｋ等）から突出した状態に設けられてもよい。本実施形態でも、上記他の実施形態と同様の構成に基づく同様の結果（効果）が得られる。
【００５２】
＜第９実施形態＞
本実施形態にかかる構成は、上記第８実施形態にかかる構成と同様である。すなわち、連結装置１０によって、第二筐体２Ｉ（電子機器１Ｉ）の移動が抑制されるとともに上記他の実施形態と同様の第二モジュール３０Ｉが第二筐体２Ｉ内の収容部２ｘから取り外される（出る）のが抑制される。ただし、本実施形態では、一例としては、図２０に示されるように、壁部１１ｂの幅が、上記第８実施形態より広い。これに伴って、第二モジュール３０Ｉを、壁部１１ｂ側（図２０の右側）から着脱することができる。なお、本実施形態でも、上記他の実施形態と同様の構成に基づく同様の結果（効果）が得られる。
【００５３】
＜第１０実施形態＞
本実施形態でも、上記第６実施形態と同様に、一例としては、図２１に示されるように、連結装置１０によって、第二筐体２Ｊ（電子機器１Ｊ）の移動が抑制されるとともに上記他の実施形態と同様の第二モジュール３０Ｊが第二筐体２Ｊ内の収容部２ｘから取り外される（出る）のが抑制される。ただし、本実施形態では、ホルダ３０ｂの壁部３０ｃと、蓋１１の壁部１１ｂと、第二筐体２Ｊの壁部２ｎとが重なり、それぞれに設けられた開口部３０ｄ，１１ｃ，２ｖが重なっている。そして、連結装置１０の連結部材１０ｂが、開口部３０ｄ，１１ｃ，２ｖを貫通し、爪部１０ｈと筐体１０ａとの間に壁部３０ｃ，１１ｂ，２ｎが挟まれている。すなわち、本実施形態によれば、一例として、連結装置１０により、第二筐体２Ｊ（電子機器１Ｊ）の移動が抑制されるとともに、蓋１１が第二筐体２Ｊから取り外されるのが抑制されるとともに、第二モジュール３０Ｊが収容部２ｘから取り外される（出る）のが抑制される。なお、本実施形態でも、上記他の実施形態と同様の構成に基づく同様の結果（効果）が得られる。
【００５４】
＜第１１実施形態＞
本実施形態でも、上記第６実施形態と同様に、一例としては、図２２に示されるように、連結装置１０によって、第二筐体２Ｋ（電子機器１Ｋ）の移動が抑制されるとともに上記他の実施形態と同様の第二モジュール３０Ｋが第二筐体２Ｋ内の収容部２ｘから取り外される（出る）のが抑制される。ただし、本実施形態では、具体的に、第二筐体２Ｋに設けられた壁部２３ｂにホルダ３０ｂが固定される。ホルダ３０ｂは、壁部２３ｂに、結合具１２（固定具、抑制部材）によって固定されている。そして、第二筐体２Ｋの壁部２ｎに設けられた開口部２ｖは、連結装置１０の連結部材１０ｂは、結合具１２を着脱する工具用の開口部２ｖを兼ねている。すなわち、本実施形態では、一例として、連結装置１０は、結合具１２を取り外すための開口部２ｖの少なくとも一部を覆っている（遮っている）。すなわち、本実施形態によれば、一例として、連結装置１０により、第二筐体２Ｋ（電子機器１Ｋ）の移動が抑制されるとともに、第二モジュール３０Ｋが収容部２ｘから取り外される（出る）のが抑制される。なお、壁部２３ｂは、第二筐体２Ｋのいずれかの壁部（例えば、壁部２ｍ，２ｋ，２ｎ等）から突出した状態に設けられることができる。本実施形態でも、上記他の実施形態と同様の構成に基づく同様の結果（効果）が得られる。
【００５５】
＜第１２実施形態＞
本実施形態でも、上記第６実施形態と同様に、一例としては、図２３に示されるように、連結装置１０によって、第二筐体２Ｌ（電子機器１Ｌ）の移動が抑制されるとともに上記他の実施形態と同様の第二モジュール３０Ｌが第二筐体２Ｌ内の収容部２ｘから取り外される（出る）のが抑制される。ただし、本実施形態では、具体的に、ホルダ３０ｂと蓋１１の壁部１１ｂとが互いに重なり、それぞれに設けられた開口部３０ｄ，１１ｃが重なっている。そして、連結装置１０の連結部材１０ｂが、開口部３０ｄ，１１ｃを貫通し、爪部１０ｈと筐体１０ａとの間に壁部３０ｃ，１１ｂが挟まれている。そして、第二モジュール３０Ｌは、第二筐体２Ｌの壁部２３ｂ等に一例としては結合具１２等によって固定されている。図２３から、第二モジュール３０Ｌの一部（ホルダ３０ｂ）ならびに蓋１１の一部（壁部１１ｂ）が第二筐体２Ｌの壁部を構成していることがわかる。すなわち、本実施形態によれば、一例として、連結装置１０により、第二筐体２Ｌ（電子機器１Ｌ）の移動が抑制されるとともに、第二モジュール３０Ｌが収容部２ｘから取り外される（出る）のが抑制される。さらに、本実施形態によれば、一例として、第二筐体２Ｌ（電子機器１Ｌ）の構成がより簡素化されやすい。なお、本実施形態でも、上記他の実施形態と同様の構成に基づく同様の結果（効果）が得られる。
【００５６】
＜第１３実施形態＞
本実施形態でも、上記第６実施形態と同様に、一例としては、図２４に示されるように、連結装置１０によって、第二筐体２Ｍ（電子機器１Ｍ）の移動が抑制されるとともに上記他の実施形態と同様の第二モジュール３０Ｍが第二筐体２Ｍ内の収容部２ｘから取り外される（出る）のが抑制される。また、本実施形態にかかる構成は、上記第１１実施形態にかかる構成と同様である。すなわち、本実施形態では、一例として、連結装置１０は、結合具１２を取り外すための開口部２ｖの少なくとも一部を覆っている（遮っている）。ただし、本実施形態では、一例として、上記第８実施形態と同様、第二筐体２Ｍの壁部２ｎの一部に開口部２３ａ（切欠、凹部）が設けられ、開口部２３ａの奥側には、第二筐体２Ｍの壁部２３ｂが設けられる。また、本実施形態では、一例として、第二筐体２Ｍには、結合具１２の脱落を抑制するガイド部２３ｄ（支持部、抑制部）が設けられている。よって、本実施形態によれば、一例としては、結合具１２が第二筐体２Ｍ内に脱落するのが抑制されやすい。そして、本実施形態でも、上記他の実施形態と同様の構成に基づく同様の結果（効果）が得られる。
【００５７】
＜第１４実施形態＞
本実施形態でも、上記第６実施形態と同様に、一例としては、図２５に示されるように、連結装置１０によって、第二筐体２Ｎ（電子機器１Ｎ）の移動が抑制されるとともに上記他の実施形態と同様の第二モジュール３０Ｎが第二筐体２Ｎ内の収容部２ｘから取り外される（出る）のが抑制される。また、本実施形態にかかる構成は、上記第１１実施形態にかかる構成と同様である。すなわち、本実施形態では、一例として、連結装置１０は、結合具１２を取り外すための開口部２ｖの少なくとも一部を覆っている（遮っている）。ただし、本実施形態では、一例として、開口部２ｖを覆う覆部材２４が設けられ、この覆部材２４の壁部２４ａと第二筐体２Ｎの壁部２ｎとが重なり、それぞれに設けられた開口部２４ｂ，２ｖが重なっている。そして、連結装置１０の連結部材１０ｂが、開口部２４ｂ，２ｖを貫通し、爪部１０ｈと筐体１０ａとの間に壁部２４ａ，２ｎが挟まれている。すなわち、本実施形態によれば、一例として、連結装置１０により、覆部材２４が第二筐体２Ｎにロックされる。そして、覆部材２４の壁部２４ｃは、結合具１２を取り外すための開口部２３ｅの少なくとも一部を覆っている（遮っている）。すなわち、本実施形態によれば、一例として、連結装置１０により、第二筐体２Ｎ（電子機器１Ｎ）の移動が抑制されるとともに、第二モジュール３０Ｎが収容部２ｘから取り外される（出る）のが抑制される。なお、本実施形態では、一例として、覆部材２４は、壁部２４ａ，２４ｃを含み、屈曲された形状を有している。また、壁部２４ａは、壁部２ｎに設けられた開口部２３ａに収容されるとともに、壁部２４ｃは、壁部２ｎに設けられた開口部２３ｆから第二筐体２Ｎ内に挿入されている。そして、本実施形態でも、上記他の実施形態と同様の構成に基づく同様の結果（効果）が得られる。
【００５８】
以上、本発明の実施形態を例示したが、上記実施形態はあくまで一例であって、発明の範囲を限定することは意図していない。これら実施形態は、その他の様々な形態で実施されることが可能であり、発明の要旨を逸脱しない範囲で、種々の省略、置き換え、組み合わせ、変更を行うことができる。これら実施形態は、発明の範囲や要旨に含まれるとともに、特許請求の範囲に記載された発明とその均等の範囲に含まれる。また、各実施形態の構成や形状は、部分的に入れ替えて実施することも可能である。また、各構成や形状等のスペック（構造や、種類、方向、形状、大きさ、長さ、幅、厚さ、高さ、数、配置、位置、材質等）は、適宜に変更して実施することができる。また、連結装置（ロック装置）は、開示されたものには限定されず、例えば、南京錠のような錠装置や、ワイヤのようなものであってもよい。また、連結装置（ロック装置）は、複数の開口部を通るものであってもよい。また、電子機器の筐体に固定された連結装置（ロック装置）の筐体（支持部、ボディ、本体部）が、ロック構造のロック部材（可動部）の動きを抑制するよう構成してもよい。また、第一モジュール、第二モジュールともに、筐体に着脱可能な他のモジュールとして構成することができる。
なお、以下に、本願の原出願時における特許請求の範囲に記載された発明を付記する。
［１］
機器外部と連結する連結装置の引掛部材が貫通する第一の開口部が設けられた第一の壁部を有した筐体と、
前記第一の開口部と重なり前記引掛部材が貫通する第二の開口部が設けられ前記第一の壁部と重なった第二の壁部を有し、前記筐体に設けられた収容部に着脱可能に収容されたモジュールと、
を備え、
前記引掛部材が前記第一の開口部および前記第二の開口部を貫通することにより、前記連結装置が前記筐体に連結されるとともに、前記モジュールが前記収容部に収容された状態で前記筐体にロックされる、テレビジョン受像機。
［２］
前記モジュールは、電気部品と、該電気部品に取り付けられ該電気部品と前記筐体との間に介在する部材と、を有し、
前記第二の壁部が、前記部材に設けられた、［１］に記載のテレビジョン受像機。
［３］
前記筐体は、前記第二の壁部の前記第一の壁部とは反対側に位置され前記引掛部材が貫通する第三の開口部が設けられた第三の壁部を備えた、［１］または［２］に記載のテレビジョン受像機。
［４］
前記第二の開口部は、前記第一の開口部および前記第三の開口部のうち少なくとも一方よりも大きい、［３］に記載のテレビジョン受像機。
［５］
前記筐体に設けられた第二の収容部に着脱可能に収容された第二のモジュールを備え、
前記収容部に収容された前記モジュールにより、前記第二のモジュールが前記第二の収容部に収容された状態にロックされる、［１］〜［４］のうちいずれか一つに記載のテレビジョン受像機。
［６］
前記モジュールは、前記収容部に収容された状態で、前記第二のモジュールが前記第二の収容部から出るのを抑制する抑制部材が取り外されるのを抑制した、［５］に記載のテレビジョン受像機。
［７］
前記抑制部材は、前記モジュールによって隠された、［６］に記載のテレビジョン受像機。
［８］
前記抑制部材は、前記第二の収容部を開放する第四の開口部を覆う覆部材である、［６］に記載のテレビジョン受像機。
［９］
前記第二の壁部が、前記モジュールを前記収容部に収容された状態にロックする第一位置とロックを解除する第二位置との間で移動可能に前記筐体に設けられたロック部材に設けられた、［１］に記載のテレビジョン受像機。
［１０］
ロック装置のロック部材が貫通する第一の開口部が設けられた第一の壁部を有した筐体と、
前記第一の開口部と重なり前記ロック部材が貫通する第二の開口部が設けられ前記第一の壁部と重なった第二の壁部を有し、前記筐体に設けられた収容部に着脱可能に収容されたハードディスクモジュールと、
前記ロック部材が前記第一の開口部および前記第二の開口部を貫通することにより、前記ロック装置が前記筐体に連結されるとともに、前記ハードディスクモジュールが前記収容部から出るのが抑制される、電子機器。
【符号の説明】
【００５９】
１Ａ…テレビジョン受像機（電子機器）、１Ｂ〜１Ｎ…電子機器、２Ｂ〜２Ｎ…第二筐体（筐体）、２ｎ…壁部（第一の壁部）、２ｔ…収容部（第一の収容部）、２ｕ…凹部（第一の凹部、第二の凹部）、２ｖ…開口部（第一の開口部）、２ｗ…突出部、２ｘ…収容部（第二の収容部）、３Ａ…筐体、３Ｂ…第一筐体（筐体）、３ｍ…壁部（第一の壁部）、３ｔ…収容部、３ｖ…開口部（第一の開口部）、１０…連結装置（ロック装置）、１０ａ…筐体（支持部）、１０ｂ…連結部材（引掛部材、ロック部材）、１１…蓋（抑制部材、覆部材）、２０Ａ〜２０Ｅ…電池モジュール、３０Ａ，３０Ｅ〜３０Ｎ…第二モジュール（ハードディスクモジュール）、２０ｂ，３０ｃ…壁部（第二の壁部）、２０ｄ，３０ｄ…開口部（第二の開口部）、２０ｅ…壁部（第三の壁部）、２０ｆ…開口部（第四の開口部）、３０ａ…筐体（電気部品）、３０ｂ…ホルダ（部材）。
【図１】
2014013597.tif 000003
【図２】
2014013597.tif 000004
【図３】
2014013597.tif 000005
【図４】
2014013597.tif 000006
【図５】
2014013597.tif 000007
【図６】
2014013597.tif 000008
【図７】
2014013597.tif 000009
【図８】
2014013597.tif 000010
【図９】
2014013597.tif 000011
【図１０】
2014013597.tif 000012
【図１１】
2014013597.tif 000013
【図１２】
2014013597.tif 000014
【図１３】
2014013597.tif 000015
【図１４】
2014013597.tif 000016
【図１５】
2014013597.tif 000017
【図１６】
2014013597.tif 000018
【図１７】
2014013597.tif 000019
【図１８】
2014013597.tif 000020
【図１９】
2014013597.tif 000021
【図２０】
2014013597.tif 000022
【図２１】
2014013597.tif 000023
【図２２】
2014013597.tif 000024
【図２３】
2014013597.tif 000025
【図２４】
2014013597.tif 000026
【図２５】
2014013597.tif 000027